(57)【特許請求の範囲】
【請求項１】
ランプチューブと、前記ランプチューブの端部に具備されて当該ランプチューブの外側面を取り囲む外部電極とで構成されたランプと、
前記外部電極と電気的に結合しつつランプを固定させるための固定クリップを含む固定手段と、
前記外部電極を取り囲むように前記ランプの端部に結合され、前記外部電極から発生した熱が前記ランプチューブの発光領域側に伝達されることを抑制するための絶縁部材と、含んでおり、
前記絶縁部材は、前記ランプチューブの長手方向と直交する方向に延びており、
前記絶縁部材は、前記固定クリップが配置されたクリップ領域と前記発光領域との間に具備される部分を含むことを特徴とするバックライトアセンブリ。
【請求項２】
ベース基板と、前記ベース基板から上方に突出されて前記外部電極と電気的に結合しつつランプを固定させるための前記固定クリップと、を具備するランプ固定板と、
前記ランプ固定板を収納するための収納空間を有する収納容器と、を更に含む請求項１のバックライトアセンブリ。
【請求項３】
前記絶縁部材は、前記ランプの端部を収納する穴、前記ランプの端部を収納する凹部、または前記ランプの端部を収納する溝を具備する請求項１または２のバックライトアセンブリ。
【請求項４】
前記ランプは、前記電極を有する電極領域、及び前記電極領域と隣接して光を発生する発光領域で構成され、
前記電極領域は、前記固定クリップが配置された前記クリップ領域と、前記クリップ領域を中心に前記ランプの長手方向に沿って配置される第１領域および第２領域とで構成される請求項１〜３のいずれか１項のバックライトアセンブリ。
【請求項５】
前記絶縁部材は、前記第１領域に配置される第１棒部、前記第２領域に配置される第２棒部、及び前記第１棒部の端部と前記第２棒部の端部とを連結する連結部を含む請求項４のバックライトアセンブリ。
【請求項６】
前記第１及び第２棒部は、前記ランプの端部を収納する穴、前記ランプの端部を収容する凹部、または前記ランプの端部を収納する溝を具備する請求項５のバックライトアセンブリ。
【請求項７】
前記連結部は、前記第１及び第２棒部に一体に形成される請求項５または６のバックライトアセンブリ。
【請求項８】
前記第１領域は、前記クリップ領域と前記発光領域との間に存在し、
前記絶縁部材は、前記ランプチューブの長手方向と直交する方向に延びており、前記第１領域に配置される請求項４のバックライトアセンブリ。
【請求項９】
画像を表示するためのＬＣＤパネルと、
ランプチューブと、前記ランプチューブの端部に具備されて当該ランプチューブの外側面を取り囲む外部電極とで構成されたランプと、前記外部電極と電気的に結合しつつランプを固定させるための固定クリップを含む固定手段と、前記外部電極を取り囲むように前記ランプの端部に結合される絶縁部材と、を含むバックライトアセンブリと、
前記バックライトアセンブリを収納して、前記絶縁部材と接触されており前記電極から発生した前記熱を外部へ導くための第１収納容器と、を含んでおり、
前記絶縁部材は、前記ランプチューブの長手方向と直交する方向に延びており、
前記絶縁部材は、前記固定クリップが配置されたクリップ領域と前記発光領域との間に具備される部分を含む、ことを特徴とする液晶表示（ＬＣＤ）装置。
【請求項１０】
前記第１収納容器は、金属で形成されている請求項９のＬＣＤ装置。
【請求項１１】
前記バックライトアセンブリは、
ベース基板と、前記ベース基板から上方に突出されて前記外部電極と電気的に結合しつつランプを固定させるための前記固定クリップと、を具備するランプ固定板と、
前記ランプ固定板を収納するための収納空間を有する第２収納容器と、を更に含む請求項９または１０のＬＣＤ装置。
【請求項１２】
前記ランプは、前記電極を有する電極領域、及び前記電極領域と隣接して光を発生する発光領域で構成され、
前記電極領域は、前記固定クリップが配置された前記クリップ領域と、前記クリップ領域を中心に前記ランプの長手方向に沿って隣接する第１領域および第２領域とで構成される請求項９〜１１のいずれか１項のＬＣＤ装置。
【請求項１３】
前記絶縁部材は、前記第１領域に配置される第１棒部、前記第２領域に配置される第２棒部、及び前記第１棒部の端部と前記第２棒部の端部とを連結する連結部を含む請求項１２のＬＣＤ装置。
【請求項１４】
前記第１及び第２棒部は、前記ランプの端部を収納する穴、前記ランプの端部を収容する凹部、または前記ランプの端部を収納する溝を具備する請求項１３のＬＣＤ装置。
【請求項１５】
前記連結部は、前記第１及び第２棒部に一体に形成される請求項１３または１４のＬＣＤ装置。
【請求項１６】
前記第１領域は、前記クリップ領域と前記発光領域との間に存在し、
前記絶縁部材は、前記ランプチューブの長手方向と直交する方向に延びており、前記第１領域に配置される請求項１２のＬＣＤ装置。
【請求項１７】
前記バックライトアセンブリは、互いに平行に配列された複数の前記ランプを含む請求項９〜１６のいずれか１項のＬＣＤ装置。
【請求項１８】
前記バックライトアセンブリは、複数の前記絶縁部材を含み、
前記絶縁部材のそれぞれは、前記ランプのうち、一つに結合される請求項１７のＬＣＤ装置。
【請求項１９】
前記バックライトアセンブリは、複数の前記絶縁部材を含み、
前記絶縁部材のそれぞれは、前記ランプのうち、複数個に結合される請求項１７のＬＣＤ装置。
【発明の詳細な説明】
【技術分野】
【０００１】
技術分野
本発明は、バックライトアセンブリ及びこのバックライトアセンブリを有する液晶表示（以下、ＬＣＤと称する）装置に係る。より詳細には、本発明は、表示特性を向上させることができるバックライトアセンブリ及び当該バックライトアセンブリを有するＬＣＤ装置に関する。
【背景技術】
【０００２】
背景技術
一般に、ＬＣＤ装置は、画像を表示するためのＬＣＤパネルと、前記ＬＣＤパネルに光を提供するバックライトアセンブリとを含む。
【０００３】
ＬＣＤ装置が大型のＬＣＤパネルを含んでいる場合、バックライトアセンブリは、前記ＬＣＤパネルの下側で互いに平行に配列された複数のランプを含みうる。
【０００４】
前記バックライトアセンブリは、冷陰極蛍光ランプ（ＣＣＦＬ）、又は外部電極蛍光ランプ（ＥＥＦＬ）などを含みうる。
【０００５】
前記ＣＣＦＬは、このＣＣＦＬのランプチューブ内部にランプ電極を具備して、ペニング放電を利用して光を発生する。一方、前記ＥＥＦＬのランプ電極は、このＥＥＦＬのランプチューブの端部の外側面に具備される。
【０００６】
前記ＥＥＦＬ（以下、「ランプ」という）は、外部電極と放電空間との間にキャパシタンスが形成され、前記ランプを駆動する。複数のＥＥＦＬを互いに並列に接続することができるので、ＦＥＦＬに必要なインバータの数を低減することができる。
【０００７】
前記ランプの前記バックライトアセンブリは、ランプ固定板及びモールドフレームを具備する。前記ランプ固定板は、前記ランプの外側面で当該ランプの端部と結合して、前記ランプを指定された位置に固定する。前記ランプ固定板は、前記ランプに電圧を印加して当該ランプを駆動する。前記モールドフレームには、前記ランプ固定板を収納するための収納空間を有する。
【０００８】
前記ランプが光を発生する時、前記外部電極から熱が発生する。この熱が、前記ＬＣＤパネル側に伝達され、前記ＬＣＤパネルの表示特性を低下させる。
【発明の開示】
【発明が解決しようとする課題】
【０００９】
発明の開示
技術的課題
本発明は、表示特性を向上させることができるバックライトアセンブリを提供する。
【００１０】
また、本発明は、前記バックライトアセンブリを有するＬＣＤ装置を提供する。
【課題を解決するための手段】
【００１１】
技術的な解決手段
本発明の一実施例によるバックライトアセンブリは、ランプ、固定手段、及び絶縁部材を含む。前記ランプは、ランプチューブと、前記ランプチューブの端部に具備されて当該ランプチューブの外側面を取り囲む外部電極とで構成される。前記固定手段は、前記外部電極と電気的に結合しつつランプを固定させるための固定クリップを含む。前記絶縁部材は、前記外部電極を取り囲むように前記ランプの端部に結合され、前記外部電極から発生した熱が前記ランプチューブの発光領域側に伝達されることを抑制する。前記絶縁部材は、前記ランプチューブの長手方向と直交する方向に延びており、前記絶縁部材は、前記固定クリップが配置されたクリップ領域と前記発光領域との間に具備される部分を含む。
【００１２】
本発明の一実施例によるＬＣＤ装置は、画像を表示するためのＬＣＤパネル、バックライトアセンブリ、及び第１収納容器を含む。
【００１３】
前記バックライトアセンブリは、ランプ及び絶縁部材を含む。ランプは、ランプチューブと、前記ランプチューブの端部に具備された電極と、を含む。絶縁部材は、前記電極を取り囲むように前記ランプの端部に結合される。
【００１４】
前記第１収納容器は前記バックライトアセンブリを収納して、前記絶縁部材と接触されており前記電極から発生した前記熱をＬＣＤ装置の外部に放出させる。
【００１５】
これによって、前記絶縁部材は、前記ランプの電極から発生した熱が前記ＬＣＤパネル側に伝達されることを抑制しながら、前記第１収納容器を通じて前記熱を前記ＬＣＤ装置の外部に放出させることによって、前記ＬＣＤパネルの表示特性を向上させることができる。
【００１６】
図面の説明
上記またはそれ以外の本発明の利点は、添付した図面を用いつつ以下の詳細な説明を参照することによって容易に明らかになる。
【００１７】
図１は、本発明の一実施例によるバックライトアセンブリを有するＬＣＤ装置の断面図である。
【００１８】
図２は、本発明の一実施例によるバックライトアセンブリの分解斜視図である。
【００１９】
図３は、本発明の一実施例によるバックライトアセンブリの絶縁部材の部分的に切断された斜視図である。
【００２０】
図４は、本発明の一実施例によるバックライトアセンブリの平面図である。
【００２１】
図５は、図４のＩ−Ｉ’線に沿った断面図である。
【００２２】
図６は、図４のＩＶ−ＩＶ’線に沿った断面図である。
【００２３】
図７は、本発明の他の実施例によるバックライトアセンブリの平面図である。
【００２４】
図８は、図７のＩＩ−ＩＩ’線に沿った断面図である。
【００２５】
図９は、本発明の他の実施例によるバックライトアセンブリの絶縁部材を示す斜視図である。
【００２６】
図１０は、本発明の他の実施例によるバックライトアセンブリの平面図である。
【００２７】
図１１は、図１０のＩＩＩ−ＩＩＩ’線に沿った断面図である。
【発明を実施するための最良の形態】
【００２８】
図１は、本発明の一実施例によるバックライトアセンブリを示す断面図であり、図２は、本発明の一実施例によるバックライトアセンブリを示す分解斜視図である。
【００２９】
図１を参照すると、ＬＣＤ装置１００は、画像を表示するためのＬＣＤパネル２００、前記ＬＣＤパネル２００に光を提供するためのバックライトアセンブリ３００、前記ＬＣＤパネル２００とバックライトアセンブリ３００を収納するための下部シャーシ４００、及び前記下部シャーシ４００と結合して、前記ＬＣＤパネル２００を取り囲むための上部シャーシ５００を含む。
【００３０】
前記ＬＣＤパネル２００は、画素が具備されたカラーフィルター基板２１０、前記カラーフィルター基板２１０に対応する薄膜トランジスタ（ＴＦＴ）基板２２０、及びこれらカラーフィルター２１０とＴＦＴ基板２２０の間に具備される液晶層（図示せず）で構成される。
【００３１】
図２に示すように、前記バックライトアセンブリ３００は、光学シート３３０、反射シート３０５、ランプ３１０、第１ランプ固定板３２０、第２ランプ固定板３２５、第１絶縁部材３４０、第２絶縁部材３４７、下側モールドフレーム３７０、及び上側モールドフレーム３９０を含む。
【００３２】
前記光学シート３３０は、ランプ３１０の上方に配置される。前記反射シート３０５は、ランプ３１０の下方に配置されて、ランプ３１０から生成された光の一部を反射する。
【００３３】
前記バックライトアセンブリ３００は、複数のランプ３１０を含んでいてもよい。
【００３４】
複数のランプ３１０は、前記ランプ３１０の長手方向と主直な方向に平行に配列される。各ランプ３１０は、ランプチューブ３１１、前記ランプチューブ３１１の両端部に位置する電極３１５、及び前記ランプチューブ３１１の内部に注入されている放電ガス（図示せず）を含む。前記ランプ３１０は、電極領域（ＮＡ）および発光領域（ＥＡ）を含む。電極３１５は、前記電極領域（ＮＡ）に形成される。発光領域（ＥＡ）は、前記電極領域（ＮＡ）に隣接して配置されており、光は発光領域（ＥＡ）において発生する。
【００３５】
ここで、前記電極３１５は、前記ランプチューブ３１１の両端部の外側面を取り囲むように具備された外部電極である。前記電極３１５は金属物質で構成される。外部装置（図示せず）から電極３１５にランプ駆動電圧が供給されて、前記ランプチューブ３１１が駆動される。
【００３６】
前記第１及び第２ランプ固定板３２０、３２５は、前記ランプ３１０の両端部にそれぞれ具備される。前記第１ランプ固定板３２０の構造は、前記第２ランプ固定板３２５の構造と実質的に同様である。
【００３７】
前記第１ランプ固定板３２０は、ベース基板３２１と、前記ベース基板３２１から上方に突出された固定クリップ３２２で構成される。
【００３８】
前記第１ランプ固定板３２０は、複数の固定クリップ３２２を含むことができる。前記固定クリップ３２２は、前記ランプ３１０の個数だけ具備される。複数の固定クリップ３２２は、前記ランプ３１０の配列方向に沿って平行に配列される。前記固定クリップ３２２は、前記ランプ３１０の端部に結合され、前記ランプ３１０を固定する。又、前記固定クリップ３２２は、前記ランプ３１０の端部で前記電極３１５と電気的に連結される。
【００３９】
前記下側モールドフレーム３７０は、第１ランプ固定板３２０を収納するための第１収納空間３７１と、第２ランプ固定板３２５を収納するための第２収納空間３７２とを含む。前記第１及び第２収納空間３７１、３７２は、前記電極領域（ＮＡ）に対応する。従って、前記下側モールドフレーム３７０は、発光領域（ＥＡ）が露出されるように、電極領域を固定し、この結果、前記ランプ３１０から出射された前記光の効率を向上させる。
【００４０】
図３は、本発明の一実施例によるバックライトアセンブリの絶縁部材を示す部分的に切断された斜視図である。
【００４１】
第１絶縁部材３４０の構造は、第２絶縁部材３４０の構造と実質的に同じである。
【００４２】
図２及び図３を参照すると、第１絶縁部材３４０は、ランプ３１０の長手方向と直交する方向に延びている。第１絶縁部材３４０は、第１棒３４１及び第２棒部３４２を含む。第１および第２棒３４１、３４２の端部は、第１ランプ固定部３２０と接触する。
【００４３】
前記第１及び第２棒部３４１、３４２には、第１穴３４１ａ及び第２穴３４２ａがそれぞれ具備される。第１及び第２棒部３４１，３４２は、複数の第１及び第２穴を含みうる。第１及び第２穴３４１ａ，３４２ａは、前記第１ランプ固定板３２０に対応している。前記ランプ３１０の端部が前記第１及び第２溝３４１ａ、３４２ａにそれぞれ収納されると、前記第１及び第２棒部３４１、３４２は、前記ランプ３１０の電極３１５を部分的に取り囲む。
【００４４】
前記第１絶縁部材３４０は、前記第１及び第２棒部３４１、３４２の端部で前記第１及び第２棒部３４１、３４２を連結するための連結部３４３を更に具備する。前記連結部３４３は、前記第１及び第２棒部３４１、３４２に一体に形成される。前記第１及び第２棒部３４１、３４２が前記連結部３４３によって連結されることによって、前記ランプ３１０に前記第１及び第２棒部３４１、３４２を同時に結合させる。
【００４５】
前記第１絶縁部材３４０は、前記第１ランプ固定板３０２の前記固定クリップ３２１に平行する方向に延びた第３穴３４５を含む。前記連結部３４３、第１棒部３４１、および第２棒部３４２が第３穴を郭定する。前記第１絶縁部材３４０が前記第１ランプ固定板３２０と結合すると、前記固定クリップ３２１は、前記第３溝３４５を通じて露出される。
【００４６】
図１を更に参照すると、前記第１絶縁部材３４０は、前記ランプ３１０に結合され、前記第１絶縁部材３４０は、前記下側モールドフレーム３７０を収納する前記下部シャーシ４００と接触する。従って、前記ランプ３１０が光を発生する過程で前記電極３１５から発生した熱は、前記第１絶縁部材３４０及び前記第３溝３４５を通じて前記下部シャーシ４００に伝達される。前記下部シャーシ４００に伝達された前記熱は、前記ＬＣＤ装置１００の外部に放出される。前記第１絶縁部材３４０は、前記ＬＣＤパネル２００を外部の衝撃から保護する。前記第１絶縁部材３４０は、前記電極３１５の一部をカバーして、前記熱が前記第３穴３４５を通じて容易に伝達されるようにして、前記固定クリップ３２２が前記第３穴３４５内に配置されるようにする。
【００４７】
図４は、本発明の一実施例によるバックライトアセンブリの平面図であり、図５は、図４のＩ−Ｉ’線に沿った断面図であり、図６は、図４のＩＶ−ＩＶ’線に沿ったバックライトアセンブリの断面図である。ここで、参照する図４乃至図６では、図１乃至３での同様の要素を同様の参照符号で示しており、これら同様の要素についての詳しい説明は省略される。
【００４８】
図４乃至図６を参照すると、第１絶縁部材３４０がランプ３１０の電極３１５を取り囲む。
【００４９】
前記ランプ３１０は、下側モールドフレーム３７０上に複数個が配列されており、前記各ランプ３１０は、電極３１５が形成された電極領域（ＮＡ）、及び前記電極領域（ＮＡ）と隣接する発光領域（ＥＡ）で構成される。光は、発光領域（ＥＡ）から発生する。
【００５０】
前記電極領域（ＮＡ）には、前記ランプ３１０を固定するための第１ランプ固定板３２０が具備される。前記電極３１５は、前記ランプ固定板３２０に具備された固定クリップ３２２と結合して指定された位置に固定される。
【００５１】
前記電極領域（ＮＡ）は、クリップ領域（ＣＡ）、第１領域（Ｅ１）、および第２流域（Ｅ２）を含む。電極３１５と結合される固定クリップ３２２は、前記クリップ領域に位置する。第１及び第２領域（Ｅ１及びＥ２）は、クリップ領域（ＣＡ）に隣接して配置され、第１領域（Ｅ１）は、第２領域（Ｅ２）の反対側に位置する。前記第１領域Ｅ１は、前記発光領域ＥＡと前記クリップ領域ＣＡとの間に具備された領域である。第１領域（Ｅ１）と当該第２領域（Ｅ２）との間にクリップ領域（ＣＡ）が挟まれることによって、前記第２領域（Ｅ２）は、前記第１領域Ｅ１の反対側に配置される。
【００５２】
前記第１絶縁部材３４０は前記電極領域（ＮＡ）に具備され、前記第１及び第２領域（Ｅ１及びＥ２）に位置した前記電極３１５を取り囲む。前記第１棒部３４１は前記第１領域（Ｅ１）に配置され、前記第２棒部３４２は前記第２領域（Ｅ２）に配置される。
【００５３】
前記第１及び第２棒部３４１、３４２に形成された第１及び第２穴３４１ａ、３４２ａに前記ランプ３１０がそれぞれ収納されると、前記第１及び第２棒部３４１，３４２は、前記第１及び第２領域（Ｅ１及びＥ２）に位置した前記電極３１５をそれぞれカバーして、前記第２棒部３４２は、前記第２領域Ｅ２に位置する前記電極３１５をカバーする。従って、前記第１絶縁部材３４０は、前記ランプ３１０の電極３１５のそれぞれを取り囲み、前記第１絶縁部材３４０が前記電極３１５に接触する面積が増加する。
【００５４】
前記第３穴３４５は、前記クリップ領域（ＣＡ）に位置した前記固定クリップ３２２、及び前記固定クリップ３２２と結合された前記電極３１５を露出させる。前記連結部３４３、前記第１棒部３４１、及び第２棒部３４２が結びついて、第３穴３４５が形成されている。
【００５５】
前記第１絶縁部材３４０は熱伝導性を有する物質で構成され、前記電極３１５から発生した熱を図１に図示された下部シャーシ４００に容易に伝達する。前記第１絶縁部材３４０は電気的な絶縁性を有することによって、前記下部シャーシ４００と前記第１ランプ固定板３２０が電気的に連結されることを防止する。
【００５６】
又、前記第１絶縁部材３４０は、前記電極領域（ＮＡ）で発生した熱について、断熱する。
【００５７】
前記第１絶縁部材３４０は弾性に優れた材質で構成され、衝撃に弱い前記ランプ３１０を保護するのみならず、前記ランプ３１０を堅固に固定して、前記衝撃による位置ずれを防止する。
【００５８】
したがって、前記電極３１５から発生した熱によって、ＬＣＤ装置１００の表示特性が低下する現象を防止することができる。
【００５９】
図７は、本発明の他の実施例によるバックライトアセンブリの平面図であり、図８は、図７のＩＩ−ＩＩ’線に沿った断面図であり、図９は、本発明の他の実施例によるバックライトアセンブリの絶縁部材を説明するための斜視図である。図７乃至９の具体的な説明では、図１乃至３での同様の要素を同様の参照符号で示しており、これら同様の要素についての詳しい説明は省略される。
【００６０】
図７乃至図９を参照すると、絶縁部材３４６がランプ３１０の電極３１５を部分的に取り囲んでいる。
【００６１】
複数個の前記ランプ３１０は、下側モールドフレーム３７０に配列されている。前記電極３１５は電極領域（ＮＡ）に位置している。第１ランプ固定板３２０は、前記下側モールドフレーム３７０と結合されており、電極領域（ＮＡ）に配置される。前記電極３１５は、前記第１ランプ固定板３２０の固定クリップ３２２に結合される。
【００６２】
前記絶縁部材３４６は、前記ランプ３１０の長手方向と直交する方向に延びている。絶縁部材３４６の端部は、前記第１ランプ固定板３２０と接触する。
【００６３】
図９に示すように、前記絶縁部材３４６には、穴３４６ａを含む。絶縁部材３４６は、複数の３４６ａを含んでいてもよい。前記穴３４６ａには、前記ランプ３１０の端部が収納される。従って、前記絶縁部材３４６は、前記ランプ３１０の電極３１５のそれぞれを取り囲み、前記絶縁部材３４６が前記電極３１５に接触する面積が増加する。
【００６４】
又、前記絶縁部材３４６は、下部シャーシ４００と接触して、前記電極３１５から発生した熱を下部シャーシ４００に伝達する。前記下部シャーシ４００に伝達された熱は、前記ＬＣＤ装置１００の外部に放出される。
【００６５】
前記絶縁部材３４６は、前記クリップ領域（ＣＡ）と前記発光領域（ＥＡ）との間に存在する第１領域（Ｅ１）を含む。前記電極領域（ＮＡ）は、前記第１領域（Ｅ１）を含む。絶縁部材３４６は、前記熱が前記発光領域（ＥＡ）側に伝達されることを防止して、前記ＬＣＤ装置１００の表示特性を向上させる。
【００６６】
図１０は、本発明の他の実施例によるバックライトアセンブリの平面図であり、図１１は、図１０のＩＩＩ−ＩＩＩ’線に沿った断面図である。図１０乃至１１の具体的な説明では、図１乃至３での同様の要素を同様の参照符号で示しており、これら同様の要素についての詳しい説明は省略される。
【００６７】
図１０と図１１を参照すると、バックライトアセンブリは、複数のランプ３１０および複数の絶縁部材３４７を含む。複数のランプ３１０は互いに平行に配列されている。絶縁部材３４７は、前記ランプ３１０のそれぞれの電極３１５を部分的に取り囲んでいる。前記絶縁部材３４７の数は、前記ランプ３１０の数と等しく、前記絶縁部材３４７のそれぞれは、前記ランプ３１０のそれぞれに対応している。
【００６８】
前記絶縁部材３４７は、電極領域（ＮＥ）で前記ランプ３１０の前記電極３１５と結合する。前記電極領域（ＮＥ）は、第１領域（Ｅ１）を含んでいる。前記絶縁部材３４７は、前記クリップ領域（ＣＡ）と前記発光領域（ＥＡ）との間に存在する前記第１領域（Ｅ１）に配置される。
【００６９】
前記絶縁部材３４７は、穴３４７ａを含む。前記絶縁部材３４７は、複数の穴３４７ａを含んでいてもよい。穴３４７ａは、前記電極３１５を有する前記ランプ３１０の端部が収納される。
【００７０】
従って、前記絶縁部材３４７は、前記電極３１５から発生した熱が、前記発光領域（ＥＡ）側に伝達されることを抑制して、図１に図示された下部シャーシ４００と接触して、前記下部シャーシ４００を通じて前記熱を前記ＬＣＤ装置１００の外部に放出することができる。これによって、前記ＬＣＤ装置１００の表示特性を向上させる。
【００７１】
また、前記絶縁部材３４７のそれぞれは、前記ランプのうち、複数と結合されてもよい。
【産業上の利用可能性】
【００７２】
産業上の利用可能性
上述したように、絶縁部材は、ランプ固定板上に具備され、下部シャーシに接触する。
【００７３】
従って、絶縁部材は、前記電極から発生した熱がＬＣＤパネル側に伝達されることを防ぎ、熱が前記下部シャーシを通じてＬＣＤ装置の外部に放出されることによって、前記ＬＣＤ装置の表示特性を向上させる。
【００７４】
又、前記絶縁部材は、前記ランプ固定板と結合された前記ランプの端部を取り囲むことによって、衝撃から前記ランプを保護しつつ、前記ランプを固定させることによって前記ランプの位置ずれを防止する。流動を防止することができる。
【００７５】
本発明の実施例によって詳細に説明したが、本発明はこれら実施例に限定されず、本発明が属する技術分野において通常の知識を有するものであれば本発明の思想と精神を離れることなく、本発明を修正または変更できる。
【図面の簡単な説明】
【００７６】
【図１】本発明の一実施例によるバックライトアセンブリを有するＬＣＤ装置の断面図である。
【図２】本発明の一実施例によるバックライトアセンブリの分解斜視図である。
【図３】本発明の一実施例によるバックライトアセンブリの絶縁部材を具体的に示す斜視図である。
【図４】本発明の一実施例によるバックライトアセンブリの平面図である。
【図５】図４のＩ−Ｉ’線に沿った断面図である。
【図６】図４のＩＶ−ＩＶ’線に沿った断面図である。
【図７】本発明の他の実施例によるバックライトアセンブリの平面図である。
【図８】図７のＩＩ−ＩＩ’線に沿った断面図である。
【図９】本発明の他の実施例によるバックライトアセンブリの絶縁部材を示す斜視図である。
【図１０】本発明の他の実施例によるバックライトアセンブリの平面図である。
【図１１】図１０のＩＩＩ−ＩＩＩ’線に沿った断面図である。
【図１】
0004550049.tif 000002
【図２】
0004550049.tif 000003
【図３】
0004550049.tif 000004
【図４】
0004550049.tif 000005
【図５】
0004550049.tif 000006
【図６】
0004550049.tif 000007
【図７】
0004550049.tif 000008
【図８】
0004550049.tif 000009
【図９】
0004550049.tif 000010
【図１０】
0004550049.tif 000011
【図１１】
0004550049.tif 000012